(57)【要約】【課題】往信時と返信時に共に隠蔽機能を持たせた往復葉書を提供する。【解決手段】葉書大の第一紙片Ｐ１，第二紙片Ｐ２，および第三紙片Ｐ３を一列に連接した葉書用紙１を用い、第一紙片Ｐ１の表面に圧着糊層１２を塗工し、第二紙片Ｐ２の表面には再剥離糊層２４の上に発信先表示部２７を設けた剥離紙２５を貼付すると共に裏面に圧着糊層２２を塗工し、第三紙片Ｐ３の表面に隠蔽情報記載欄３２を設けて裏面に返信先表示部３４を設ける。そして、往信時には第一紙片Ｐ１と第二紙片Ｐ２を分離して圧着糊層１２，２２どうしを重ね合わせて圧着することで隠蔽機能を持たせ、返信時には第二紙片Ｐ２の剥離紙２５を剥がして第三紙片Ｐ３を折り返し、再剥離糊層２４と隠蔽情報記載欄３２を重ね合わせることで隠蔽機能を持たせるものとする。【選択図】図１
2005199518.tif 000002
【特許請求の範囲】
【請求項１】
葉書大の第一紙片、第二紙片、および第三紙片を一列に連接した葉書用紙が連続して複数片形成された隠蔽往復葉書であって、
前記第一紙片は、表面に圧着糊層が塗工され、
前記第二紙片は、表面に塗工された再剥離糊層上に発信先が表示された剥離紙が貼付されると共に、裏面に圧着糊層が塗工され、
前記第三紙片は、表面に情報記入欄が設けられると共に、裏面に返信先が表示されており、
前記第一紙片と前記第二紙片を分離し、前記圧着糊層どうしを重ね合わせて圧着することで往信時の隠蔽機能を持たせ、かつ前記第二紙片の剥離紙を剥がして前記第三紙片を折り返し、前記再剥離糊層と前記情報記入欄を重ね合わせることで返信時の隠蔽機能を持たせた
ことを特徴とする隠蔽往復葉書。
【請求項２】
葉書大の第一紙片、第二紙片、および第三紙片を一列に連接した葉書用紙が単片形態で形成された隠蔽往復葉書であって、
前記第一紙片は、表面に圧着糊層が塗工され、
前記第二紙片は、表面に塗工された再剥離糊層上に発信先が表示された剥離紙が貼付されると共に、裏面に圧着糊層が塗工され、
前記第三紙片は、表面に情報記入欄が設けられると共に、裏面に返信先が表示されており、
前記第一紙片と前記第二紙片を分離し、前記圧着糊層どうしを重ね合わせて圧着することで往信時の隠蔽機能を持たせ、かつ前記第二紙片の剥離紙を剥がして前記第三紙片を折り返し、前記再剥離糊層と前記情報記入欄を重ね合わせることで返信時の隠蔽機能を持たせた
ことを特徴とする隠蔽往復葉書。
【請求項３】
請求項１または２に記載の隠蔽往復葉書において、前記葉書用紙の一部に複写用紙が貼付されていることを特徴とする隠蔽往復葉書。
【発明の詳細な説明】
【技術分野】
【０００１】
本発明は、往信時と返信時に共に隠蔽機能を持たせた隠蔽往復葉書に関する。
【背景技術】
【０００２】
従来から秘匿性を要する書類は封書で郵送し、その返信も封書で行うのが通例であったが、近年では封書に替わる方法として隠蔽葉書を使用する方法が増えている。その隠蔽葉書の利用の仕方については、発信側が葉書の秘匿情報を隠蔽して発送するものや、発信側は往復葉書で郵送して返信側が記入した情報を隠蔽して返送するものや、発信側が封書で書類を郵送して返信側がその中の隠蔽葉書を返送するものなど様々な利用方法が考えられる。また隠蔽の形態については、葉書にラベルを貼付するものや、葉書に連接した部分を折り畳んで隠蔽できるように設計したものが多い。
【０００３】
ところで、葉書で郵送する場合には封書と違って掲載できる情報量が限られてしまうので、その欠点を改良して往信時の情報量を多くするための工夫が施された往復葉書が提案されている（例えば、特許文献１参照）。また一方では、返信時の隠蔽性を考慮した往復葉書（例えば、特許文献２参照）や、返信時だけでなく往信時にも隠蔽できるようにした往復葉書（例えば、特許文献３参照）も数多く知られている。
【０００４】
【特許文献１】特開平１１−２８６１８９号公報
【０００５】
【特許文献２】特開２００３−１１８２６９号公報
【０００６】
【特許文献３】特開平１１−３３４２５６号公報
【発明の開示】
【発明が解決しようとする課題】
【０００７】
往信時と返信時に共に隠蔽葉書の形態で郵送が可能になれば、封書で郵送する場合に比べて往復の郵便料金がかなり節約できるので非常に効果的である。ただし、その隠蔽葉書の形態には前述の通り様々な特徴があり、秘匿情報の隠蔽性以外に他の項目の評価も必要となる。
【０００８】
例えば発信側は通常企業である場合が多いことから、往信時には発信側にとって隠蔽葉書を既存の設備機器や安価な設備機器を使って大量に隠蔽処理する必要がある。またその隠蔽葉書に設けられる宛名面や往信時隠蔽面や返信時隠蔽面には個人情報を印刷することも多いので、データマッチングやセキュリティの観点からするとこれらの面に対して同時に印刷できる構成であることが望まれる。
【０００９】
これに対して返信側は通常個人である場合が多いことから、返信時には隠蔽葉書の構成がそれほど複雑でなく、返信側にとって使用方法が簡単に理解できるような使い易いものであることも重要な評価項目である。
【００１０】
本発明はこのような事情に鑑みてなされたもので、その目的とするところは、往信時と返信時に共に隠蔽機能を持たせた隠蔽往復葉書であって、往信時には発信側において短時間に集中して大量の印字および隠蔽処理ができ、かつ返信時には受取人側においてその使用方法が簡単に理解できる利便性に優れた隠蔽往復葉書を提供することにある。
【課題を解決するための手段】
【００１１】
前述した目的を達成するために、本発明は、葉書大の第一紙片、第二紙片、および第三紙片を一列に連接した葉書用紙で構成される隠蔽往復葉書であって、前記第一紙片は、表面に圧着糊層が塗工され、前記第二紙片は、表面に塗工された再剥離糊層上に発信先が表示された剥離紙が貼付されると共に、裏面に圧着糊層が塗工され、前記第三紙片は、表面に情報記入欄が設けられると共に、裏面に返信先が表示されており、前記第一紙片と前記第二紙片を分離し、前記圧着糊層どうしを重ね合わせて圧着することで往信時の隠蔽機能を持たせ、かつ前記第二紙片の剥離紙を剥がして前記第三紙片を折り返し、前記再剥離糊層と前記情報記入欄を重ね合わせることで返信時の隠蔽機能を持たせたことを特徴とするものである。
【００１２】
この場合において圧着糊は少なくとも前記の領域に塗布されていれば良いのであり、他の機能に影響を与えない限り葉書用紙の全面に塗布されていても良い。
【００１３】
ここで葉書用紙としては、例えば上質紙、軽量コート紙、コート紙、アート紙等の各種の紙材を使用することができ、少なくとも一枚の用紙で葉書の規定連量を満たしていれば良い。
【００１４】
圧着糊とは通常の取扱い時には触っても全くベトツキがなく、圧着糊どうしを重ね合わせて事後処理機（ドライシーラ）を用いて強力な圧力を加えることで接着力を持つようにした糊である。この圧着糊どうしで接着された接合面は剥離することができ、剥離した後に再度貼り付けることはできない。使用可能な圧着糊の例としては天然ゴムラテックス系糊等が挙げられる。
【００１５】
また再剥離糊とは通常時にはベトツキがあり剥離紙で被覆しておき、剥離紙を剥がすことで貼り付けることができるようにした糊である。この再剥離糊で貼り付けた貼付面は剥離することができ、貼着と剥離を繰り返し行うことができる。使用可能な再剥離糊の例としてはアクリル系粘着剤等が挙げられる。
【００１６】
剥離紙とはベース紙上にシリコーン系の剥離剤を塗布したもので、ベース紙としてはクラフト紙や透明フィルムなどを使用することができる。
【００１７】
本発明の隠蔽往復葉書では、３つの紙片が一列に連接された一枚の葉書用紙で構成されているため、各紙片に表示する所定事項を同時印字することが可能になる。また往信時には第一紙片と第二紙片を重ね合わせ、既存の事後処理機（ドライシーラ）で圧着するだけの処理で往信葉書に隠蔽機能を持たせることができ、返信時には剥離紙を剥がして第三紙片を折り畳むだけの作業で簡単に返信葉書に隠蔽機能を持たせることができる。
【００１８】
また本発明の好ましい実施態様は、前述した構成の隠蔽往復葉書において、連続用紙を用いて前記第一、第二、第三紙片からなる隠蔽往復葉書を連続して複数片形成することが望ましい。このような構成を採用すると、特に往信時の処理において短時間に集中的に大量の印字および隠蔽処理が行えるという利点がある。
【００１９】
さらに本発明の別の実施態様としては、前述した構成の隠蔽往復葉書において、前記葉書用紙を単片形態で形成する構成や、前記葉書用紙の一部に複写用紙を貼付する構成を採用することも可能である。
【発明の効果】
【００２０】
本発明の隠蔽往復葉書によると、往信側と返信側の双方にとって以下のような格別な効果を有する。
【００２１】
［往信側の効果］
往信時と返信時に共に封書ではなく葉書形態で郵送が可能になり、往復時において大量の郵便物の郵便料金を全額負担する往信側にとって大幅なコスト削減に繋がるという効果がある。また葉書サイズの３つの紙片が一枚の葉書用紙で構成されていることから、各紙片に所定事項を同時に印刷でき、封書形態で郵送する場合と異なり封入書類の照合ミスが起こることもなく、印字した情報のマッチングを確実に行うことができる。さらに事後処理機上で切断した第一紙片の上に第二紙片を重ね合わせて圧着するだけなので、既存の事後処理機を利用して往信時の隠蔽機能を持たせることが可能になり、往復葉書の作成時間の短縮化とコスト削減を図ることができるという効果もある。
【００２２】
［返信側の効果］
受け取った往復葉書を返信するときに、剥離紙を剥がして折り畳むだけの簡単な作業で記入した個人情報を隠蔽できるので、返信葉書の作成手順が複雑でなく容易に理解できるという効果がある。また葉書形態で郵送されてくるため、封書形態の場合のように重要な同封書類を紛失したり、同封書類の確認に混乱を来たしたりする恐れもなく、必要な情報の管理を確実に行える利便性に優れた往復葉書を利用することができる。
【発明を実施するための最良の形態】
【００２３】
以下、本発明の一実施形態について、添付した図面を参照しながら詳細に説明する。
【００２４】
図１は本実施形態の隠蔽往復葉書の平面図、図２は同葉書の断面図である。図１に示す隠蔽往復葉書Ｐは、往信時と返信時に共に情報を隠蔽して郵送できるようにしたものであり、連続用紙上に複数片形成したうちの一片を抜き出して示したものである。この隠蔽往復葉書Ｐは第一紙片Ｐ１と第二紙片Ｐ２と第三紙片Ｐ３の３つの紙片を横一列に連接した葉書用紙１で構成されている。葉書用紙１は一枚で葉書の規定連量を満たす２ｇ以上の重量を有しており、各紙片Ｐ１、Ｐ２、およびＰ３の大きさはそれぞれ葉書サイズに設定されている。
【００２５】
第一紙片Ｐ１は往信時に添付物になり、第二紙片Ｐ２は往信時には葉書本体、返信時には添付物になり、第三紙片Ｐ３は往信時には葉書本体、返信時には添付物になる。また第一紙片Ｐ１と第二紙片Ｐ２の境界は切断時の作業性を考慮してスリッターによる切断線２で区画され、第二紙片Ｐ２と第三紙片Ｐ３の境界は折り畳み時の作業性を考慮して予め折り筋を付けた折線３で区画されている。
【００２６】
第一紙片Ｐ１には切断線２の反対側の側辺に沿って所定ピッチで送り孔１１，…が形成されており、その内側には送り孔１１部分を切り離すためにスリッターによる切断線４が形成されている。図１ａに示すように、第一紙片Ｐ１の表面には全面にわたって圧着糊層１２が塗工されており、切断線２と切断線４との間の領域には往信時に隠蔽される隠蔽情報記載欄１３が設けられている。
【００２７】
また第一紙片Ｐ１の裏面には、図１ｂに示す切断線２と切断線４との間の領域に往信時に隠蔽されない情報記載欄１４が設けられている。本実施形態ではこの情報記載欄１４に口座振替依頼書の記入例や返信葉書の作成手順を記載してある。
【００２８】
第二紙片Ｐ２には切断線２の内側に沿って送り孔２１，…が形成されており、その内側に送り孔２１部分を切り離すためにスリッターによる切断線５が形成されている。この送り孔２１は第一紙片Ｐ１の送り孔１１と同位置に同一ピッチに設定されており、第一紙片Ｐ１と第二紙片Ｐ２を重ね合わせるときに両紙片を位置ズレなく同位置にする位置合わせ手段として作用するものである。
【００２９】
第二紙片Ｐ２の表面は、図１ａに示す折線３と切断線５との間の領域において、その周縁に余白部を残して再剥離糊層２４が塗工されており、この再剥離糊層２４を覆うように剥離紙２５が貼付されている。図２の断面図に示すように、この剥離紙２５はベース紙２５ａの裏面にシリコーン系の剥離剤２５ｂが塗布されたもので、剥離剤２５ｂと再剥離糊層２４が剥離可能に擬似接着された状態になっている。
【００３０】
また第二紙片Ｐ２の表面の余白部には、「郵便往復はがき（往信）」なる文字で往信時の葉書本体であることを示す郵便表示部２６が表示されており、剥離紙２５の表面には往信時の宛先となる往信先表示部２７が表示されている。この第二紙片Ｐ２の表面が往信時の宛名面である。一方、図１ｂに示すように、第二紙片Ｐ２の裏面には全面にわたって圧着糊層２２が塗工されており、折線３と切断線５との間の領域には往信時に隠蔽される隠蔽情報記載欄２３が設けられている。
【００３１】
第三紙片Ｐ３は折線３の反対側の側辺に沿って所定ピッチで送り孔３１，…が形成されており、その内側に送り孔３１を切り離すためにスリッターによる切断線６が形成されている。図１ａに示すように、第三紙片Ｐ３の表面は折線３と切断線６との間の領域に返信時に隠蔽される隠蔽情報記載欄３２が設けられている。本実施形態ではこの隠蔽情報記載欄３２に口座振替依頼書の記入枠を記載してある。
【００３２】
第三紙片Ｐ３の裏面には図１ｂに示すように、折線３と切断線６との間の領域に「郵便往復はがき（返信）」なる文字で返信時の葉書本体であることを示す郵便表示部３３と、返信時の宛先となる返信先表示部３４が表示されている。この第三紙片Ｐ３の裏面が返信時の宛名面である。
【００３３】
以上が本実施形態の隠蔽往復葉書の構成であるが、以下では同葉書の使用方法を往信時と返信時に分けて説明する。
【００３４】
図３は往信時の使用方法を示す説明図である。
【００３５】
まず、往信側では図３ａに示すようにこの隠蔽往復葉書Ｐの第一紙片Ｐ１、第二紙片Ｐ２、および第三紙片Ｐ３の所定箇所にそれぞれ次の事項を印刷する処理を行う。
【００３６】
第一紙片Ｐ１において、表側にある隠蔽情報記載欄１３には往信時に隠蔽が必要な秘匿情報を印刷する。裏側にある情報記載欄１４（図１ｂ参照）には往信時に隠蔽の必要ない情報、ここでは口座振替依頼書の記入例や返信葉書の作成手順を印刷する。
【００３７】
第二紙片Ｐ２において、表側にある郵便表示部２６に赤字で「郵便往復はがき（往信）」なる文字を印字し、剥離紙２５の往信先表示部２７に往信時の宛先を印刷する。裏側にある隠蔽情報記載欄２３（図１ｂ参照）には往信時に隠蔽が必要な秘匿情報を印刷する。
【００３８】
第三紙片Ｐ３において、表側にある隠蔽情報記載欄３２に返信時に隠蔽が必要な秘匿情報、ここでは口座振替依頼書の記入枠を印刷する。
【００３９】
ここで、この隠蔽往復葉書Ｐは３つの紙片が横一列に連接された一枚の葉書用紙１で構成されており、それぞれの紙片に表示する事項をプリンタで同時に印字することが可能である。このためマッチングミスを防ぐことができ、かつ印字効率も向上する。
【００４０】
次に、図３ｂに示すように隠蔽往復葉書Ｐから第一紙片Ｐ１を切り離す。第一紙片Ｐ１と第二紙片Ｐ２の境界には切断線２が形成されており、往信側では事後処理機（ドライシーラ）のスリッターでこの切断線２をスリットする。
【００４１】
続いて、図３ｃに示すように切断した第一紙片Ｐ１の上に第二紙片Ｐ２を重ね合わせて両紙片を貼合する。ここで、事後処理機で第一紙片Ｐ１の左端部にある送り孔１１，…と第二紙片Ｐ２の左端部にある送り孔２１，…で両紙片の位置を合わせながら、両紙片の表裏から所定の圧力を加える。こうして第一紙片Ｐ１の表側にある圧着糊層１２と第二紙片Ｐ２の裏側にある圧着糊層２２とが剥離可能に擬似接着される。これにより第一紙片Ｐ１と第二紙片Ｐ２の両紙片を位置ズレなく同位置になるように位置合わせをして貼り合わせることができ、かつ往復葉書の往信時に隠蔽機能を持たせることができる。
【００４２】
さらに、図３ｄに示すように隠蔽往復葉書Ｐの左右両端部にある送り孔部分を切り落とす。これは左端部の送り孔２１（１１）の内側にある切断線５（４）と、右端部の送り孔３１の内側にある切断線６を共に事後処理機のスリッターでスリットすれば良い。
【００４３】
最後に、往信側は図３ｅに示すように隠蔽往復葉書Ｐを郵送する。往信時にはこの隠蔽往復葉書Ｐは連接した第二紙片Ｐ２と第三紙片Ｐ３が葉書本体に相当し、第一紙片Ｐ１と剥離紙２５が添付物に相当する。
【００４４】
すなわち、この葉書本体は２ｇ以上の規定連量を満たし、本体となる葉書用紙１上に郵便表示部２６の文字と剥離紙２５上に往信先表示部２７があり、さらに第二紙片Ｐ２に貼着された剥離紙２５と第二紙片Ｐ２に擬似接着された第一紙片Ｐ１が葉書本体の表裏一枚まで貼着可能な添付物になっている。このため、往信時の隠蔽往復葉書Ｐは郵便法上の葉書の規格を全て満足することが可能である。
【００４５】
また、第一紙片Ｐ１の表側にある隠蔽情報記載欄１３と第二紙片Ｐ２の裏側にある隠蔽情報記載欄２３の２面は、圧着糊層１２，２２どうしを貼り合わせることで確実な隠蔽状態で郵送することができる。
【００４６】
図４は返信時の使用方法を示す説明図である。
【００４７】
まず、返信側では図４ａに示すように隠蔽往復葉書Ｐの第一紙片Ｐ１を剥がす。第一紙片Ｐ１と第二紙片Ｐ２は圧着糊層１２，２２間で剥離され、これにより第一紙片Ｐ１の隠蔽情報記載欄１３と、第二紙片Ｐ２の隠蔽情報記載欄２３に記載されている情報を確認することができる。
【００４８】
次に、図４ｂに示すように第三紙片Ｐ３の隠蔽情報記載欄３２にある口座振替依頼書に個人情報を記入する。ここで、先程剥がした第一紙片Ｐ１には口座振替依頼書の記入例と返信葉書の作成手順が記載されているので、これと照らし合わせながら書き込みと返信葉書の作成の作業を間違いなく行うことができる。
【００４９】
続いて、図４ｃに示すように第二紙片Ｐ２に貼付されている剥離紙２５を剥がす。第二紙片Ｐ２と剥離紙２５は再剥離糊層２４と剥離剤層２５ｂ間で剥離され、これにより第二紙片Ｐ２の表面に再剥離糊層２４が露出する。
【００５０】
さらに、図４ｄに示すように折線３を谷折りして第三紙片Ｐ３を折り畳む。ここで、第二紙片Ｐ２の上に重ね合わされた第三紙片Ｐ３は再剥離糊層２４で剥離可能に擬似接着された状態になる。これにより往復葉書の返信時に隠蔽機能を持たせることができる。
【００５１】
最後に、返信側は図４ｅに示すように隠蔽往復葉書Ｐを郵送する。返信時にはこの隠蔽往復葉書Ｐは第三紙片Ｐ３が葉書本体に相当し、第二紙片Ｐ２が添付物に相当する。
【００５２】
すなわち、この葉書本体は２ｇ以上の規定連量を満たし、本体となる葉書用紙１上に郵便表示部３３の文字と返信先表示部３４があり、さらに第三紙片Ｐ３に擬似接着された第二紙片Ｐ２が葉書本体の表裏一枚まで貼着可能な添付物になっている。このため、返信時の隠蔽往復葉書Ｐも郵便法上の葉書の規格を全て満足することが可能である。
【００５３】
また、第三紙片Ｐ３にある隠蔽情報記載欄３２の１面は、再剥離糊層２４で第二紙片Ｐ２を貼り合わせることで確実な隠蔽状態で郵送することができる。この返信された隠蔽往復葉書Ｐを受け取った発信側では、再剥離糊層２４を剥がすことで第三紙片Ｐ３の隠蔽情報記載欄３２に記入された個人情報を確認して事務処理が行われる。
【００５４】
なお、前述した実施形態においては次のような各種の変形例が考えられる。例えば圧着糊層１２，２２は、第一紙片Ｐ１の表面と第二紙片Ｐ２の裏面に限定して塗工されているが、これに替えて葉書用紙１の表裏面の全面に塗工されていても構わない。
【００５５】
また葉書用紙１を単片形態で形成する構成や、葉書用紙１の一部に複写用紙を貼付する構成として例えば返信側が記入する隠蔽情報記載欄３２（ここでは口座振替依頼書）の控えを設ける構成を採用することもできる。このような構成を採用することで、往信時と返信時に隠蔽機能を持たせた往復葉書においてさらに複写機能を追加することができ、この隠蔽往復葉書Ｐを利用できる業務範囲が大幅に拡大するという利点がある。
【図面の簡単な説明】
【００５６】
【図１】本発明の隠蔽往復葉書を（ａ）表面側から見た平面図と（ｂ）裏面側から見た平面図。
【図２】図１に示すＡ−Ａ線断面図。
【図３】往信時の使用方法を示す説明図。
【図４】返信時の使用方法を示す説明図。
【符号の説明】
【００５７】
Ｐ  隠蔽往復葉書
Ｐ１  第一紙片
Ｐ２  第二紙片
Ｐ３  第三紙片
１  葉書用紙
２  切断線
３  折線
４  切断線
５  切断線
６  切断線
１１  送り孔
１２  圧着糊層
１３  隠蔽情報記載欄
１４  情報記載欄
２１  送り孔
２２  圧着糊層
２３  隠蔽情報記載欄
２４  再剥離糊層
２５  剥離紙
２５ａ  ベース紙
２５ｂ  剥離剤層
２６  郵便表示部
２７  往信先表示部
３１  送り孔
３２  隠蔽情報記載欄
３３  郵便表示部
３４  返信先表示部
【図１】
2005199518.tif 000003
【図２】
2005199518.tif 000004
【図３】
2005199518.tif 000005
【図４】
2005199518.tif 000006